【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
ホーゼル、フロントおよびバックを具備するヘッドを有するアイアンゴルフクラブであって、上記バックが周囲部材により画定されるキャビティを含み、上記フロントが上記キャビティと相応する位置で反対側に設けられた打撃ゾーンを含み、クラブヘッドがステンレス鋼から鍛造され、その後アニーリング処理されたことを特徴とするアイアンゴルフクラブ。
【請求項２】
上記バック上に配置される第１部分おより強化部分が上記キャビティに隣接され、上記強化部分が上記第１部分より厚い請求項１記載のアイアンゴルフクラブ。
【請求項３】
上記周囲部材はクラブヘッドの底部で頂部より厚くなる請求項１記載のアイアンゴルフクラブ。
【請求項４】
上記ステンレス鋼の降伏強さは約９０，０００ｐｓｉ未満であり、伸び率は約１３％より大きい請求項１記載のアイアンゴルフクラブ。
【請求項５】
上記ステンレス鋼は約１０％を越えるクロムを含む請求項１記載のアイアンゴルフクラブ。
【請求項６】
上記鍛造後にアニーリング処理されたステンレス鋼のグレインサイズは約１０μｍを越える請求項１記載のアイアンゴルフクラブ。
【請求項７】
上記クラブヘッドは単一のクラブヘッドである請求項１記載のアイアンゴルフクラブ。
【請求項８】
上記クラブヘッドはさらに鍛造フェースインサートを具備し、上記フェースインサートがステンレス鋼から製造される請求項１記載のアイアンゴルフクラブ。
【請求項９】
上記クラブヘッドはさらにスタンプ処理フェースインサートを具備し、上記フェースインサートがステンレス鋼から製造される請求項１記載のアイアンゴルフクラブ。
【請求項１０】
上記クラブヘッドは約９０ロックウェル硬度Ｂ未満の硬度を有する請求項１記載のアイアンゴルフクラブ。
【請求項１１】
上記ステンレス鋼は、４１０ステンレス鋼、４０３ステンレス鋼、４３１ステンレス鋼、４１６ステンレス鋼、３０３ステンレス鋼、３０４ステンレス鋼、３２９ステンレス鋼、３１６ステンレス鋼、２５９ステンレス鋼、Ｎｉｔｒｏｎｉｃ  ４０、Ｎｉｔｒｏｎｉｃ  ５０およびＮｉｔｒｏｎｉｃ  ６０からなるグループから選択される請求項１記載のアイアンゴルフクラブ。
【請求項１２】
上記クラブヘッドは、１〜９番アイアン、ピッチングウェッジ、サンドウェッジおよびギャップウェッジからなるグループから選択される請求項１記載のアイアンゴルフクラブ。
【請求項１３】
上記クラブヘッドにシャフトおよびグリップが取付可能である請求項１記載のアイアンゴルフクラブ。
【請求項１４】
上記キャビティの容積が約８ｃｃより大きい請求項１記載のアイアンゴルフクラブ。
【請求項１５】
上記キャビティの容積が約１２ｃｃより大きい請求項１記載のアイアンゴルフクラブ。
【請求項１６】
上記打撃ゾーンの最小厚さが約０．５１ｃｍ（約０．２インチ）より小さい請求項１記載のアイアンゴルフクラブ。
【請求項１７】
上記打撃ゾーンは、
アスペクト比＞＝−（１／４．５）×ロフト角°）＋２５
ただし、アスペクト比は打撃ゾーンの面積（平方インチ）を最小厚さ（インチ）で割ったものである。
を満たす請求項１記載のアイアンゴルフクラブ。
【手続補正２】
【補正対象書類名】明細書
【補正対象項目名】００３９
【補正方法】変更
【補正の内容】
【００３９】
重心の位置も上にリストされている。ＧＣ−ｙは、クラブをアドレス位置に配置したときの地面からの距離である。ＣＧ−ｘは同様に配置したときのフェースの中心からの距離である。ＣＧ−ｓａは同様に配置したときのシャフト軸からの距離である。重心は、打撃フェースの幾何学中心よりも後方かる下方に位置する。幾何学中心は、先に述べたように、溝またはスコアラインの領域の中点として定義できる。この発明の慣性モーメントが比較例のクラブの慣性モーメントより大きいことは極めて明らかである。
なお、以上に開示された技術内容をまとめると以下のとおりである。
技術的特徴１：
ホーゼル、フロントおよびバックを具備するヘッドを有するアイアンゴルフクラブであって、上記バックが周囲部材により画定されるキャビティを含み、上記フロントが上記キャビティと相応する位置で反対側に設けられた打撃ゾーンを含み、クラブヘッドがステンレス鋼から鍛造され、その後アニーリング処理されたことを特徴とするアイアンゴルフクラブ。
技術的特徴２：
上記バック上に配置される第１部分おより強化部分が上記キャビティに隣接され、上記強化部分が上記第１部分より厚い技術的特徴１記載のアイアンゴルフクラブ。
技術的特徴３：
上記第１部分が上記強化部分の頂部に配置される技術的特徴２記載のアイアンゴルフクラブ。
技術的特徴４：
上記強化部分の厚さが上記第１部分の厚さの約１．２倍から約３倍である技術的特徴２記載のアイアンゴルフクラブ。
技術的特徴５：
上記第１部分は上記打撃ゾーンの全面積の約５０％から約９０％を占める技術的特徴２記載のアイアンゴルフクラブ。
技術的特徴６：
上記第１部分は上記打撃ゾーンの全面積の約６０％から約８０％を占める技術的特徴５記載のアイアンゴルフクラブ。
技術的特徴７：
上記周囲部材はクラブヘッドの底部で頂部より厚くなる技術的特徴１記載のアイアンゴルフクラブ。
技術的特徴８：
上記ステンレス鋼の降伏強さは約９０，０００ｐｓｉ未満であり、伸び率は約１３％より大きい技術的特徴１記載のアイアンゴルフクラブ。
技術的特徴９：
上記ステンレス鋼の降伏強さは約８５，０００ｐｓｉ未満であり、極限伸び率は約１５％〜約２１％である技術的特徴８記載のアイアンゴルフクラブ。
技術的特徴１０：
上記ステンレス鋼は約１０％を越えるクロムを含む技術的特徴１記載のアイアンゴルフクラブ。
技術的特徴１１：
上記鍛造後にアニーリング処理されたステンレス鋼のグレインサイズは約１０μｍを越える技術的特徴１記載のアイアンゴルフクラブ。
技術的特徴１２：
上記鍛造後にアニーリング処理されたステンレス鋼のグレインサイズは約１０μｍ〜約５０μｍの間である技術的特徴１１記載のアイアンゴルフクラブ。
技術的特徴１３：
上記クラブヘッドは単一のクラブヘッドである技術的特徴１記載のアイアンゴルフクラブ。
技術的特徴１４：
上記クラブヘッドはさらに鍛造フェースインサートを具備し、上記フェースインサートがステンレス鋼から製造される技術的特徴１記載のアイアンゴルフクラブ。
技術的特徴１５：
上記クラブヘッドはさらにスタンプ処理フェースインサートを具備し、上記フェースインサートがステンレス鋼から製造される技術的特徴１記載のアイアンゴルフクラブ。
技術的特徴１６：
上記クラブヘッドは約９０ロックウェル硬度Ｂ未満の硬度を有する技術的特徴１記載のアイアンゴルフクラブ。
技術的特徴１７：
上記ステンレス鋼は、４１０ステンレス鋼、４０３ステンレス鋼、４３１ステンレス鋼、４１６ステンレス鋼、３０３ステンレス鋼、３０４ステンレス鋼、３２９ステンレス鋼、３１６ステンレス鋼、２５９ステンレス鋼、Ｎｉｔｒｏｎｉｃ  ４０、Ｎｉｔｒｏｎｉｃ  ５０およびＮｉｔｒｏｎｉｃ  ６０からなるグループから選択される技術的特徴１記載のアイアンゴルフクラブ。
技術的特徴１８：
上記クラブヘッドは、１〜９番アイアン、ピッチングウェッジ、サンドウェッジおよびギャップウェッジからなるグループから選択される技術的特徴１記載のアイアンゴルフクラブ。
技術的特徴１９：
上記クラブヘッドにシャフトおよびグリップが取付可能である技術的特徴１記載のアイアンゴルフクラブ。
技術的特徴２０：
上記キャビティの容積が約８ｃｃより大きい技術的特徴１記載のアイアンゴルフクラブ。
技術的特徴２１：
上記キャビティ容積は、ロフト角が約３２°より小さいときには、約１０ｃｃより大きい技術的特徴２０記載のアイアンゴルフクラブ。
技術的特徴２２：
上記キャビティの容積が約１２ｃｃより大きい技術的特徴１記載のアイアンゴルフクラブ。
技術的特徴２３：
上記キャビティの容積が約１３ｃｃより大きい技術的特徴２２記載のアイアンゴルフクラブ。
技術的特徴２４：
上記キャビティの容積が図１１の曲線Ａの値以上である技術的特徴２０記載のアイアンゴルフクラブ。
技術的特徴２５：
上記キャビティの容積が図１１の曲線Ｂの値以上である技術的特徴２３記載のアイアンゴルフクラブ。
技術的特徴２６：
シャフト軸周りの回転慣性モーメントが５００Ｋｇ・ｍｍ２より大きい技術的特徴２２記載のアイアンゴルフクラブ。
技術的特徴２７：
シャフト軸周りの回転慣性モーメントが５５０Ｋｇ・ｍｍ２より大きい技術的特徴２６記載のアイアンゴルフクラブ。
技術的特徴２８：
シャフト軸周りの回転慣性モーメントが６００Ｋｇ・ｍｍ２より大きい技術的特徴２７記載のアイアンゴルフクラブ。
技術的特徴２９：
シャフト軸周りの回転慣性モーメントが６５０Ｋｇ・ｍｍ２より大きい技術的特徴２８記載のアイアンゴルフクラブ。
技術的特徴３０：
上記打撃ゾーンの最小厚さが約０．５１ｃｍ（約０．２インチ）より小さい技術的特徴１記載のアイアンゴルフクラブ。
技術的特徴３１：
ロフト角が約３５°未満のときには上記打撃ゾーンの最小厚さが約０．３３ｃｍ（約０．１３インチ）より小さい技術的特徴３０記載のアイアンゴルフクラブ。
技術的特徴３２：
上記最小厚さが約０．２５４ｃｍ（約０．１インチ）である技術的特徴３０記載のアイアンゴルフクラブ。
技術的特徴３３：
上記打撃ゾーンは、
アスペクト比＞＝−（１／４．５）×ロフト角°）＋２５
ただし、アスペクト比は打撃ゾーンの面積（平方インチ）を最小厚さ（インチ）で割ったものである。
を満たす技術的特徴１記載のアイアンゴルフクラブ。